(57)【要約】【課題】雌型端子金具とジョイント端子の接触安定性を高めると共にどつきを抑制することができるジョイントコネクタを提供する。【解決手段】ジョイントコネクタ１は、複数本の雌型端子金具２０を嵌合接続する複数本のタブ片１１を備えたジョイント端子１０と、ジョイント端子１０を収容保持するハウジング一端部３１と、雌型端子金具２０を規定位置まで挿入することで電気接続部２１とタブ片１１とを嵌合状態にする複数の端子収容室３４が配設されたハウジング他端部３２とを有するコネクタハウジング３０と、を備える。電気接続部２１には、端子収容室３４の端子挿入方向に沿って形成されたガイド溝３５に挿入案内される挿入案内用突起２４が突設され、端子収容室３４の底壁には、タブ片１１に嵌合接続された電気接続部２１の挿入案内用突起２４が端子挿入方向に対して交差する方向へ移動するのを規制するための係合溝４０が設けられる。【選択図】図４
2012174432.tif 000002
【特許請求の範囲】
【請求項１】
複数本の雌型端子金具と、
前記雌型端子金具を嵌合接続する複数本のタブ片とこれらのタブ片を導通接続した連結部とを備えたジョイント端子と、
前記タブ片をハウジングの他端側に向けて前記ジョイント端子を収容保持するハウジング一端部と、前記雌型端子金具を規定位置まで挿入することで前記雌型端子金具の電気接続部と前記タブ片とを嵌合状態にする複数の端子収容室が配設されたハウジング他端部と、を有する合成樹脂製のコネクタハウジングと、を備え、
前記雌型端子金具の電気接続部には、前記端子収容室の端子挿入方向に沿って内壁に形成されたガイド部に挿入案内される挿入案内用突起が突設され、
前記端子収容室の内壁には、前記タブ片に嵌合接続された前記電気接続部の挿入案内用突起が端子挿入方向に対して交差する方向へ移動するのを規制するための係合溝が設けられたことを特徴とするジョイントコネクタ。
【請求項２】
前記係合溝が、ハウジング他端部側に延びるように前記端子収容室の底壁の一部に形成された複数の櫛状突起により構成されることを特徴とする請求項１に記載のジョイントコネクタ。
【請求項３】
前記櫛状突起の先端部には、前記挿入案内用突起を前記係合溝内に挿入案内するためのテーパ面が形成されることを特徴とする請求項２に記載のジョイントコネクタ。
【請求項４】
前記雌型端子金具の電気接続部には、前記挿入案内用突起が突設された位置よりも端子先端側の位置において、端子表面に対し前下がりの傾斜面を有する案内突起が突設されており、
前記櫛状突起の先端部が前記案内突起に当接することによって、前記タブ片に嵌合接続される前記電気接続部の先端開口を前記タブ片に向けて案内することを特徴とする請求項１〜３の何れか１項に記載のジョイントコネクタ。
【発明の詳細な説明】
【技術分野】
【０００１】
本発明は、ジョイントコネクタに関する。
【背景技術】
【０００２】
例えば自動車用ワイヤハーネスの分岐接続に用いられる従来のジョイントコネクタとしては、特許文献１等に記載されたものが知られている。
図９に示すように、ジョイントコネクタ１００は、雌型の端子金具（雌型端子金具）１１３を収容するための複数の端子収容室１１８を備えたコネクタハウジング１１１と、このコネクタハウジング１１１の端子収容室１１８に収容された端子金具１１３と、コネクタハウジング１１１のうち端子金具１１３の接続端側の端部に装着可能なキャップ１２３と、このキャップ１２３の内面にコネクタハウジング側に突出して設けられ各端子金具１１３間を共通接続するジョイント端子１２９とを備えている。
【０００３】
即ち、この様なジョイントコネクタ１００は、端子収容室１１８に収容された端子金具１１３とのどつきを防止するため、ジョイント端子１２９を装着したキャップ１２３をコネクタハウジング１１１に装着することにより、ジョイント端子１２９が端子収容室１１８に収容された各端子金具１１３に接続される構成とされている。その為、部品点数が多く、その分全体形状が大きくなってジョイントコネクタが大型化するという問題があった。
【０００４】
そこで、例えば特許文献２及び特許文献３等に記載されたジョイントコネクタが提案されている。
これらのジョイントコネクタは、コネクタハウジングと、コネクタハウジングの一端部に挿入されるジョイント端子と、このジョイント端子に接続される雌型端子金具とで構成されている。
この様なジョイントコネクタは、ハウジングが１部品で済むためにその分部品点数を削減することができ、全体の小型化及び低コスト化を図ることができる。
【先行技術文献】
【特許文献】
【０００５】
【特許文献１】特開平８−２５０１８５号公報
【特許文献２】実開平２−１０１４７４号公報
【特許文献３】特開平１０−２５５９３６号公報
【発明の概要】
【発明が解決しようとする課題】
【０００６】
しかしながら、上述した特許文献２及び特許文献３等に記載されたジョイントコネクタは、ジョイント端子がハウジング内の係止用ランスや係止突起により係止保持されるように構成されている。また、ジョイント端子に嵌合接続される雌型端子金具もハウジング内の係止用ランスに係止保持されたり、ジョイント端子に圧接接続されたりするだけである。
そこで、ジョイント端子に嵌合接続された状態の雌型端子金具のガタが大きくなり易く、雌型端子金具とジョイント端子の接触安定性が低下したり、雌型端子金具のタブ片へのどつきが生じたりするという問題があった。
【０００７】
本発明は、上述した事情に鑑みてなされたものであり、その目的は、雌型端子金具とジョイント端子の接触安定性を高めると共にどつきを抑制することができるジョイントコネクタを提供することにある。
【課題を解決するための手段】
【０００８】
前述した目的を達成するために、本発明に係るジョイントコネクタは、下記（１）〜（４）を特徴としている。
（１）  複数本の雌型端子金具と、
前記雌型端子金具を嵌合接続する複数本のタブ片とこれらのタブ片を導通接続した連結部とを備えたジョイント端子と、
前記タブ片をハウジングの他端側に向けて前記ジョイント端子を収容保持するハウジング一端部と、前記雌型端子金具を規定位置まで挿入することで前記雌型端子金具の電気接続部と前記タブ片とを嵌合状態にする複数の端子収容室が配設されたハウジング他端部と、を有する合成樹脂製のコネクタハウジングと、を備え、
前記雌型端子金具の電気接続部には、前記端子収容室の端子挿入方向に沿って内壁に形成されたガイド部に挿入案内される挿入案内用突起が突設され、
前記端子収容室の内壁には、前記タブ片に嵌合接続された前記電気接続部の挿入案内用突起が端子挿入方向に対して交差する方向へ移動するのを規制するための係合溝が設けられたことを特徴とするジョイントコネクタ。
（２）  上記（１）の構成のジョイントコネクタにおいて、
前記係合溝が、ハウジング他端部側に延びるように前記端子収容室の底壁の一部に形成された複数の櫛状突起により構成されること。
（３）  上記（２）の構成のジョイントコネクタにおいて、
前記櫛状突起の先端部には、前記挿入案内用突起を前記係合溝内に挿入案内するためのテーパ面が形成されること。
（４）  上記（１）〜（３）の何れか１つの構成のジョイントコネクタにおいて、
前記雌型端子金具の電気接続部には、前記挿入案内用突起が突設された位置よりも端子先端側の位置において、端子表面に対し前下がりの傾斜面を有する案内突起が突設されており、
前記櫛状突起の先端部が前記案内突起に当接することによって、前記タブ片に嵌合接続される前記電気接続部の先端開口を前記タブ片に向けて案内すること。
【０００９】
上記（１）の構成のジョイントコネクタによれば、端子収容室の内壁に設けられた係合溝によって、ジョイント端子のタブ片に嵌合接続された電気接続部の挿入案内用突起が端子挿入方向に対して交差する方向へ移動するのを規制できる。そこで、嵌合状態における電気接続部のタブ片に対するガタ詰めを行うことができ、雌型端子金具とジョイント端子の接触安定性を高めることができる。
即ち、係合溝は、端子収容室に挿入された雌型端子金具の挿入案内用突起を挿入案内するガイド部とは別に、タブ片に嵌合接続された状態の電気接続部のガタ詰めを行うことができる。そこで、電気接続部の先端開口がタブ片に嵌合する前に必要以上に電気接続部のガタが規制されることがなく、雌型端子金具のタブ片へのどつきを抑制できる。
上記（２）の構成のジョイントコネクタによれば、端子収容室の底壁の一部に形成された複数の櫛状突起により係合溝を構成するので、一体成形により係合溝をコネクタハウジングに容易に形成することができる。
上記（３）の構成のジョイントコネクタによれば、櫛状突起の先端部にテーパ面を形成したので、挿入案内用突起を係合溝内にスムーズに挿入案内することができる。
上記（４）の構成のジョイントコネクタによれば、櫛状突起の先端部が、電気接続部の端子先端側に突設された案内突起に当接して電気接続部の先端開口をタブ片に向けて案内する。そこで、雌型端子金具のタブ片へのどつきを防止できる。
【発明の効果】
【００１０】
本発明によれば、雌型端子金具とジョイント端子の接触安定性を高めると共にどつきを抑制することができるジョイントコネクタを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】本発明の一実施形態に係るジョイントコネクタの分解斜視図である。
【図２】図１に示した雌型端子金具の底面側の外観斜視図である。
【図３】図１に示したコネクタハウジングを底面側から観た外観斜視図である。
【図４】図１に示したコネクタハウジングに雌型端子金具を挿入する際の作用を説明するための水平断面図である。
【図５】図１に示したコネクタハウジングに雌型端子金具を挿入する際の作用を説明するため、雌型端子金具を途中まで挿入した状態の縦断面図である。
【図６】図１に示したジョイントコネクタのコネクタハウジングに雌型端子金具を挿入する際の作用を説明するため、雌型端子金具を規定位置まで挿入完了した状態の縦断面図である。
【図７】図１に示したコネクタハウジングに雌型端子金具を規定位置の直前まで挿入した際の作用を説明するための部分拡大底面図である。
【図８】図１に示したコネクタハウジングに雌型端子金具を規定位置まで挿入した際の作用を説明するための部分拡大底面図である。
【図９】従来のジョイントコネクタの分解状態の縦断面図である。
【発明を実施するための形態】
【００１３】
以下、添付図面に基づいて本発明の一実施形態に係るジョイントコネクタを詳細に説明する。
本実施形態のジョイントコネクタ１は、図１に示すように、ジョイント端子１０と、雌型端子金具２０と、コネクタハウジング３０と、を備える。
ジョイント端子１０は、金属板のプレス成形品であり、雌型端子金具２０を嵌合接続する複数本（本実施形態では４本）のタブ片１１と、これらのタブ片１１を導通接続した連結部１２とが一体成形されている。
【００１４】
雌型端子金具２０は、金属板のプレス成形品であり、図１及び図２に示すように、タブ片１１が嵌合する角筒状の電気接続部２１と、該電気接続部２１の後端から延出して電線２６を圧着する電線加締め部２２と、抜け止め用係止部２３と、挿入案内用突起２４と、案内突起２５とを備える。
電線加締め部２２は、電線２６の導体を圧着して導通させる導体加締め片２２ａと、電線２６の被覆部に加締め付けることで電線２６を固定する被覆加締め片２２ｂとを備える。
【００１５】
抜け止め用係止部２３は、電気接続部２１の後端側に形成された凹部であり、後述するコネクタハウジング３０の係止用ランス３６に係止され、雌型端子金具２０を抜け止めする。
挿入案内用突起２４は、電気接続部２１の底面における後端寄りの側部に突設されており、後述するコネクタハウジング３０の端子収容室３４の端子挿入方向に沿って内底面（内壁）に形成されたガイド溝（ガイド部）３５に挿入案内される。この挿入案内用突起２４は、電気接続部２１の側壁の一部を延長して折り曲げ形成した舌状片である。
【００１６】
案内突起２５は、挿入案内用突起２４が突設された位置よりも雌型端子金具２０の端子先端側の位置において、電気接続部２１の底面（端子表面）に対し前下がりの傾斜面２５ａを有して突設されている。
この案内突起２５は、後述するコネクタハウジング３０の櫛状突起３８の先端部に当接することによって、タブ片１１に嵌合接続される電気接続部２１の先端開口をタブ片１１に向けて案内するものである。
【００１７】
コネクタハウジング３０は、合成樹脂の射出成形品であり、ハウジング一端部３１と、該ハウジング一端部３１とは反対側の端部であるハウジング他端部３２とを備えている。
ハウジング一端部３１は、図４に示すように、タブ片１１をハウジング他端部３２側に向けてジョイント端子１０を収容保持する。尚、本実施形態においては、ジョイント端子１０が圧入によりハウジング一端部３１に保持されている。
【００１８】
ハウジング他端部３２には、図３及び図４に示すように、複数の端子収容室３４が並設されている。これら複数の端子収容室３４は、雌型端子金具２０を規定位置まで挿入することで雌型端子金具２０の電気接続部２１とタブ片１１とを嵌合状態にする。ここで、規定位置とは、タブ片１１と電気接続部２１とが、電気的な接続に必要十分な接触長を得る位置である。
【００１９】
端子収容室３４の内底面には、図４に示すように、ガイド溝３５が設けられている。このガイド溝３５は、雌型端子金具２０の端子収容室３４への挿入時に、挿入案内用突起２４を摺動可能に収容して、雌型端子金具２０の誤挿入を防止すると共に該雌型端子金具２０を規定位置に案内する。
【００２０】
また、各端子収容室３４の底壁には、図３〜図８に示すように、各端子収容室３４に対応して、係止用ランス３６と、タブ視認用窓部３７と、係合溝４０とが設けられている。
係止用ランス３６は、図４〜図６に示すように、端子収容室３４に沿ってハウジング一端部３１側に延出する弾性アーム３６ａと、この弾性アーム３６ａの自由端内面に突設された端子係止用突起３６ｂとを備えている。
【００２１】
端子係止用突起３６ｂは、端子収容室３４の内方に向かって突出しており、図６に示すように、規定位置に挿入された雌型端子金具２０の抜け止め用係止部２３に係合することで、雌型端子金具２０を抜け止めする。
タブ視認用窓部３７は、図７及び図８に示すように、タブ片１１の先端部を目視できる位置に開口しており、タブ片１１に電気接続部２１が嵌合した状態を目視することが可能である。
【００２２】
係合溝４０は、図４及び図７に示すように、ガイド溝３５のハウジング一端部３１側の端部に対向して開口されており、タブ片１１に嵌合接続された電気接続部２１の挿入案内用突起２４が端子挿入方向に対して交差する方向（図中、上下方向）へ移動するのを規制する。
【００２３】
本実施形態に係る係合溝４０は、ハウジング他端部３２側に延びるように端子収容室３４の底壁の一部に形成された複数の櫛状突起３８により構成されている。そこで、一体成形により係合溝４０をコネクタハウジング３０に容易に形成することができる。
更に、櫛状突起３８の先端部には、挿入案内用突起２４を係合溝４０内に挿入案内するためのテーパ面３８ａが形成される。そこで、挿入案内用突起２４を係合溝４０内にスムーズに挿入案内することができる。
【００２４】
次に、図４〜図８を参照しながら、ジョイントコネクタ１のコネクタハウジング３０に雌型端子金具２０を挿入する際の作用を説明する。
先ず、図４に示したように、ハウジング一端部３１にジョイント端子１０が収容保持されたコネクタハウジング３０のハウジング他端部３２側から各端子収容室３４に雌型端子金具２０を挿入する。
【００２５】
雌型端子金具２０は、挿入案内用突起２４がガイド溝３５に挿入案内されながら端子収容室３４に挿入される。係止用ランス３６の弾性アーム３６ａは、端子係止用突起３６ｂが電気接続部２１の底面に押圧付勢された際には外側へ弾性変形して雌型端子金具２０の挿入を妨げない。
【００２６】
そして、図５に示すように、電気接続部２１の端子先端側に突設された案内突起２５が櫛状突起３８の先端部に当接すると、案内突起２５の傾斜面２５ａの作用によりタブ片１１に嵌合接続される電気接続部２１の先端開口がタブ片１１に向けて上方へ案内される。そこで、タブ片１１へのどつきが防止された電気接続部２１は、タブ片１１にスムーズに嵌合接続される。
【００２７】
更に、図７に示すように、コネクタハウジング３０に規定位置の直前まで雌型端子金具２０が挿入されると、櫛状突起３８の先端部に形成されたテーパ面３８ａによって、挿入案内用突起２４が係合溝４０内に挿入案内される。
【００２８】
そして、図６に示すように、雌型端子金具２０がコネクタハウジング３０の端子収容室３４に規定位置まで挿入されると、電気接続部２１の通過に伴い弾性復帰した係止ランス３６の端子係止用突起３６ｂが抜け止め用係止部２３を係止して、雌型端子金具２０を抜け止めする。
【００２９】
更に、端子収容室３４に規定位置まで挿入された雌型端子金具２０は、図８に示すように、コネクタハウジング３０の係合溝４０によって、ジョイント端子１０のタブ片１１に嵌合接続された電気接続部２１の挿入案内用突起２４が端子挿入方向に対して交差する方向（図中上下方向）へ移動するのを規制される。そこで、嵌合状態における電気接続部２１のタブ片１１に対するガタ詰めを行うことができ、雌型端子金具２０とジョイント端子１０の接触安定性を高めることができる。
【００３０】
即ち、係合溝４０は、端子収容室３４に挿入された雌型端子金具２０の挿入案内用突起２４を挿入案内するガイド溝３５とは別に、タブ片１１に嵌合接続された状態の電気接続部２１のガタ詰めを行うことができる。そこで、電気接続部２１の先端開口がタブ片１１に嵌合する前に必要以上に電気接続部２１のガタが規制されることがなく、雌型端子金具２０のタブ片１１へのどつきを抑制できる。
【００３１】
従って、上述した本実施形態に係るジョイントコネクタ１によれば、嵌合状態における電気接続部２１のタブ片１１に対するガタ詰めを行うことができ、雌型端子金具２０とジョイント端子１０の接触安定性を高めることができる。
また、電気接続部２１の先端開口がタブ片１１に嵌合する前に必要以上に電気接続部２１のガタが規制されることがなく、雌型端子金具２０のタブ片１１へのどつきを抑制できる。
【００３２】
尚、本発明のジョイントコネクタに係る雌端子金具、ジョイント端子、コネクタハウジング、電気接続部、挿入案内用突起、端子収容室、ガイド部、係合溝、櫛状突起及び案内突起等の構成は、上記実施形態の構成に限定されるものではなく、本発明の主旨に基づいて種々の形態を採りうることは云うまでもない。
【符号の説明】
【００３３】
１  ジョイントコネクタ
１０  ジョイント端子
１１  タブ片
１２  連結部
２０  雌型端子金具
２１  電気接続部
２４  挿入案内用突起
２５  案内突起
３０  コネクタハウジング
３１  ハウジング一端部
３２  ハウジング他端部
３４  端子収容室
３５  ガイド溝（ガイド部）
３８  櫛状突起
４０  係合溝
【図１】
2012174432.tif 000003
【図２】
2012174432.tif 000004
【図３】
2012174432.tif 000005
【図４】
2012174432.tif 000006
【図５】
2012174432.tif 000007
【図６】
2012174432.tif 000008
【図７】
2012174432.tif 000009
【図８】
2012174432.tif 000010
【図９】
2012174432.tif 000011